(57)【要約】【課題】本発明は、大きいサイズを有するドキュメントを走査することができる走査装置を提供することを目的とする。【解決手段】本発明は、透明なドキュメント載置領域が設置されたベースと、ドキュメント載置領域の下方に移動可能に装着される移動ラックと、移動ラックに装着されてドキュメント載置領域に載置されたドキュメントを走査する走査センサーと、を備え、走査センサーのサイズはドキュメント載置領域のサイズより小さく、走査センサーは移動ラックで移動してドキュメント載置領域の全体領域を走査することができる。【選択図】図１
2014087052.tif 000002
【特許請求の範囲】
【請求項１】
透明なドキュメント載置領域が設置されたベースと、
前記ドキュメント載置領域の下方に移動可能に装着される移動ラックと、
前記移動ラックに装着されて前記ドキュメント載置領域に載置されたドキュメントを走査する走査センサーと、
を備えてなる走査装置であって、
前記走査センサーのサイズは前記ドキュメント載置領域のサイズより小さく、前記走査センサーは前記移動ラックで移動して前記ドキュメント載置領域の全体領域を走査することができることを特徴とする走査装置。
【請求項２】
前記移動ラックの中央部には歯車が装着され、前記走査センサーには前記歯車に噛み合うラックが形成されて、前記歯車が回動していると、前記走査センサーは前記移動ラックで移動することを特徴とする請求項１に記載の走査装置。
【請求項３】
前記走査装置は、前記歯車と前記ラックとの間の摩擦力を感知するために用いられる摩擦力感知ユニットをさらに備え、前記摩擦力感知ユニットが感知した摩擦力が小さくなると、前記歯車は回動を停止することを特徴とする請求項２に記載の走査装置。
【請求項４】
前記ドキュメント載置領域は第一領域及び第二領域を備え、前記走査センサーは前記第一領域又は前記第二領域に位置決めされることを特徴とする請求項１から３のいずれ一項に記載の走査装置。
【請求項５】
前記ドキュメント載置領域に載置されたドキュメントは第一部分及び第二部分を備え、前記第一部分は前記第一領域に位置し、前記第二部分は前記第二領域に位置し、前記走査センサーは前記第一部分を走査して第一イメージを取得し、前記走査センサーは前記第二部分を走査して第二イメージを取得することを特徴とする請求項４に記載の走査装置。
【請求項６】
前記走査装置はイメージ処理ユニットをさらに備え、前記イメージ処理ユニットは前記第一イメージ及び前記第二イメージを統合して前記ドキュメントの走査イメージを取得することを特徴とする請求項５に記載の走査装置。
【発明の詳細な説明】
【技術分野】
【０００１】
本発明は、走査装置に関するものであり、特に大きいサイズを有するドキュメントを走査することができる走査装置に関するものである。
【背景技術】
【０００２】
ドキュメントをイメージに変換して保存するために、走査装置でドキュメントを走査することを必要とする。ドキュメントのサイズは多様であり、例えば、Ａ４サイズ、Ａ３サイズ又は他のサイズなどであり、従って大きいサイズの走査装置を必要とする。
【発明の概要】
【発明が解決しようとする課題】
【０００３】
しかし、大きいサイズの走査装置は、値段が高くばかりでなく、且つ利用率も比較的に低い。
【０００４】
本発明の目的は、前記課題を解決し、大きいサイズを有するドキュメントを走査することができる走査装置を提供することである。
【課題を解決するための手段】
【０００５】
本発明に係る走査装置は、透明なドキュメント載置領域が設置されたベースと、ドキュメント載置領域の下方に移動可能に装着される移動ラックと、移動ラックに装着されてドキュメント載置領域に載置されたドキュメントを走査する走査センサーと、を備え、走査センサーのサイズはドキュメント載置領域のサイズより小さく、走査センサーは移動ラックで移動してドキュメント載置領域の全体領域を走査することができる。
【発明の効果】
【０００６】
従来の技術に比べて、本発明の走査装置において、ドキュメント載置領域のサイズを大きく設置し、且つドキュメント載置領域に載置された大きいサイズを有するドキュメントを幾つかの部分に分けて、走査センサーを複数回移動させることにより、大きいサイズを有するドキュメントの各々の部分を順番に走査してから取得した幾つかのイメージを統合して、大きいサイズを有するドキュメント全体の走査イメージを取得することができる。
【図面の簡単な説明】
【０００７】
【図１】本発明の実施形態に係る走査装置の構造を示す図である。
【図２】本発明の実施形態に係る走査装置の構造を示す図である。
【図３】本発明の実施形態に係る走査装置の機能ブロック図である。
【図４】本発明の実施形態に係る走査装置でドキュメントの第一部分を走査することを示す図である。
【図５】本発明の実施形態に係る走査装置でドキュメントの第二部分を走査することを示す図である。
【図６】本発明の実施形態に係る走査装置でドキュメントの第二部分を走査することを示す図である。
【図７】本発明の実施形態に係る走査装置でドキュメントを走査して取得した走査イメージを示す図である。
【発明を実施するための形態】
【０００８】
以下、図面を参照して、本発明の実施形態について説明する。
【０００９】
本発明の走査装置は、大きいサイズを有するドキュメントを走査することができる。図１〜図３を参照すると、本発明の実施形態に係る走査装置は、ベース２０と、走査センサー３０と、移動ラック４０と、摩擦力感知ユニット５０と、制御ユニット６０と、イメージ処理ユニット７０と、を備える。走査センサー３０、移動ラック４０、摩擦力感知ユニット５０、制御ユニット６０及びイメージ処理ユニット７０は、全てベース２０に装着される。
【００１０】
制御ユニット６０は、走査センサー３０、摩擦力感知ユニット５０及びイメージ処理ユニット７０に接続される。
【００１１】
ベース２０は、上表面２４を備える。上表面２４には、透明なドキュメント載置領域２５が設置され、ドキュメントはドキュメント載置領域２５に載置されて走査センサー３０によって走査される。ドキュメント載置領域２５は、第一領域２５１及び第二領域２５２を備える。
【００１２】
走査センサー３０は、移動ラック４０に移動可能に装着されて、ドキュメント載置領域２５の下方に位置する。走査センサー３０は、略直方体であり、その長さは第一領域２５１又は第二領域２５２の幅とほぼ等しい。移動ラック４０の長さは、ドキュメント載置領域２５の幅とほぼ等しい。
【００１３】
移動ラック４０の中央部には歯車４１が装着され、走査センサー３０には歯車４１に噛み合うラック３１が形成される。歯車４１は回動しながら走査センサー３０を連動して、走査センサー３０が第一領域２５１から第二領域２５２に移動するようにする。
【００１４】
摩擦力感知ユニット５０は、歯車４１とラック３１との間の摩擦力を感知するために用いられる。走査センサー３０が第一領域２５１から第二領域２５２に移動していると、歯車４１は時計回りに回動しながらラック３１と噛み合って走査センサー３０を第一領域２５１から第二領域２５２に移動させ、この時に歯車４１とラック３１とは完全に噛み合うので、摩擦力感知ユニット５０が感知した摩擦力は大きく、走査センサー３０が第二領域２５２に移動した時、歯車４１とラック３１とは部分的に噛み合うので、摩擦力感知ユニット５０が感知した摩擦力は小さい。制御ユニット６０によって摩擦力感知ユニット５０が感知した摩擦力が小さくなることを検出した場合、制御ユニット６０は歯車４１の回動を停止して、走査センサー３０は第二領域２５２に位置決めされる。走査センサー３０が第二領域２５２から第一領域２５１に移動していると、歯車４１は反時計回りに回動しながらラック３１と噛み合って走査センサー３０を第二領域２５２から第一領域２５１に移動させ、この時に歯車４１とラック３１とは完全に噛み合うので、摩擦力感知ユニット５０が感知した摩擦力は大きく、走査センサー３０が第一領域２５１に移動した時、歯車４１とラック３１とは部分的に噛み合うので、摩擦力感知ユニット５０が感知した摩擦力は小さい。制御ユニット６０によって摩擦力感知ユニット５０が感知した摩擦力が小さくなることを検出した場合、制御ユニット６０は歯車４１の回動を停止して、走査センサー３０は第一領域２５１に位置決めされる。
【００１５】
走査センサー３０が第一領域２５１又は第二領域２５２に位置決めされると、移動ラック４０は移動しながら走査センサー３０を連動してドキュメント載置領域２５の下方でスライドすることにより、走査センサー３０によって第一領域２５１又は第二領域２５２に載置されたドキュメントを走査する。
【００１６】
図４〜図７を参照すると、本発明の走査装置で大きいサイズを有するドキュメント８０を走査することができる。ドキュメント８０のサイズは、ドキュメント載置領域２５のサイズとほぼ等しく、走査センサー３０のサイズより大きい。本実施形態において、ドキュメント８０は第一部分８１及び第二部分８２を備え、ドキュメント８０をドキュメント載置領域２５に載置すると、第一部分８１は第一領域２５１に位置し、第二部分８２は第二領域２５２に位置し、走査する前に走査センサー３０は初期位置に位置し、即ち第一領域２５１に位置する。
【００１７】
ドキュメント８０を走査する場合、先ず、移動ラック４０は第一方向に沿って移動しながら走査センサー３０を連動してドキュメント載置領域２５の下方でスライドして、走査センサー３０によって第一領域２５１に載置されたドキュメント８０の第一部分８１を走査して第一イメージ９１を取得し、第一イメージ９１は走査センサー３０によってイメージ処理ユニット７０に伝送される。次に、制御ユニット６０の制御によって歯車４１は時計回りに回動しながらラック３１と噛み合って走査センサー３０を第一領域２５１から第二領域２５２に移動させ、制御ユニット６０によって摩擦力感知ユニット５０が感知した摩擦力が小さくなることを検出した場合、制御ユニット６０は歯車４１の回動を停止して、走査センサー３０は第二領域２５２に位置決めされる。次に、移動ラック４０は第一方向と反対の第二方向に沿って移動しながら走査センサー３０を連動してドキュメント載置領域２５の下方でスライドして、走査センサー３０によって第二領域２５２に載置されたドキュメント８０の第二部分８２を走査して第二イメージ９２を取得し、第二イメージ９２は走査センサー３０によってイメージ処理ユニット７０に伝送される。最後に、イメージ処理ユニット７０は、第一イメージ９１及び第二イメージ９２を統合して走査イメージ９３を取得し、この走査イメージ９３はドキュメント８０全体の走査イメージである。
【００１８】
本発明の走査装置において、ドキュメント載置領域２５のサイズを大きく設置し、且つドキュメント載置領域２５に載置された大きいサイズを有するドキュメントを幾つかの部分に分けて、走査センサー３０を複数回移動させることにより、大きいサイズを有するドキュメントの各々の部分を順番に走査してから取得した幾つかのイメージを統合して、大きいサイズを有するドキュメント全体の走査イメージを取得することができる。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２０】
２０  ベース
２４  上表面
２５  ドキュメント載置領域
３０  走査センサー
３１  ラック
４０  移動ラック
４１  歯車
５０  摩擦力感知ユニット
６０  制御ユニット
７０  イメージ処理ユニット
８０  ドキュメント
８１  第一部分
８２  第二部分
９１  第一イメージ
９２  第二イメージ
９３  走査イメージ
２５１  第一領域
２５２  第二領域
【図１】
2014087052.tif 000003
【図２】
2014087052.tif 000004
【図３】
2014087052.tif 000005
【図４】
2014087052.tif 000006
【図５】
2014087052.tif 000007
【図６】
2014087052.tif 000008
【図７】
2014087052.tif 000009